(57)【要約】【課題】フィルタ再生制御の実行時におけるＯＴ判定の遅れを抑制できる内燃機関の制御装置を提供する。【解決手段】フィルタ再生制御の開始に伴い、触媒ＯＴ判定値を、それまでの触媒ＯＴ判定値に比べて、早期に温度過上昇の判定が行われる値に切り替える（ＳＴ４）。フィルタ再生制御の実行中に触媒ＯＴ判定のためのパラメータが切り替え後の触媒ＯＴ判定値に達した場合にはフィルタ再生制御が停止される（ＳＴ６）。これにより、通常運転時（フィルタ再生制御の非実行時）に比べて早期に触媒温度が上昇してしまう可能性のあるフィルタ再生制御の実行時において、触媒温度の過上昇を招く前にフィルタ再生制御は停止され、触媒への悪影響を抑制することができる。【選択図】図４
2018162721.tif 000002
【特許請求の範囲】
【請求項１】
排気系に微粒子捕集フィルタおよび触媒を備え、前記微粒子捕集フィルタの再生要求に伴って、該微粒子捕集フィルタに捕集されている微粒子を燃焼除去するために空燃比を変動させるフィルタ再生制御が実行可能な内燃機関に適用される制御装置において、
前記触媒の温度過上昇の判定に用いるパラメータの判定閾値を、前記フィルタ再生制御の開始に伴い、早期に温度過上昇の判定が行われる側の値に切り替え、該フィルタ再生制御の実行中に前記パラメータが前記切り替え後の前記判定閾値に達した場合に前記フィルタ再生制御を停止させるフィルタ再生制御停止部を備えていることを特徴とする内燃機関の制御装置。
【発明の詳細な説明】
【技術分野】
【０００１】
本発明は内燃機関の制御装置に係る。特に、本発明は、排気系に微粒子捕集フィルタを備え、該微粒子捕集フィルタの再生要求に伴って空燃比を変動させるフィルタ再生制御の改良に関する。
【背景技術】
【０００２】
従来、排気系に微粒子捕集フィルタを備えた内燃機関（エンジン）において、この微粒子捕集フィルタの再生要求が生じた際に空燃比を変動させるフィルタ再生制御（以下、ディザ制御と呼ぶ場合もある）によって微粒子捕集フィルタの再生を行うことが知られている。
【０００３】
具体的に、特許文献１には、一つの気筒の空燃比を理論空燃比よりもリッチにし、その気筒（リッチ側気筒）からの排気ガスを、微粒子捕集フィルタをバイパスさせて下流側の三元触媒（以下、単に触媒と呼ぶ場合もある）に導入する一方、他の気筒の空燃比を理論空燃比よりもリーンにし、その気筒（リーン側気筒）からの排気ガスを、微粒子捕集フィルタに導入することが開示されている。これにより、微粒子捕集フィルタに捕集されている微粒子（ＰＭ；Ｐａｒｔｉｃｕｌａｔｅ  Ｍａｔｔｅｒ）を燃焼除去して微粒子捕集フィルタを再生させると共に、触媒に吸蔵されているまたは触媒に向けて流れ込む窒素酸化物（ＮＯｘ）を前記リッチ側気筒から排出される還元成分（ＨＣ等）によって還元除去するようにしている。
【先行技術文献】
【特許文献】
【０００４】
【特許文献１】特開２００９−１５６１００号公報
【発明の概要】
【発明が解決しようとする課題】
【０００５】
ところで、失火発生時において、通常運転時（フィルタ再生制御の非実行時）に比べて、フィルタ再生制御の実行時の方が早期に触媒温度が上昇してしまう。このため、触媒温度の過上昇の判定（以下、ＯＴ判定という）に用いている判定値（ＯＴ判定のための閾値であって、以下ＯＴ判定値という）として、前記通常運転時の値をフィルタ再生制御の実行時においてもそのまま使用してしまうとＯＴ判定に遅れが生じ、触媒に悪影響を与えてしまうことになる。
【０００６】
なお、失火発生時に限らず、インジェクタの公差バラツキ、インジェクタの噴射孔の詰まり、デポジットの堆積に起因するＥＧＲバルブの回動不良等に起因して、フィルタ再生制御の実行時には、通常運転時に比べて早期に触媒温度が上昇してしまう可能性もある。
【０００７】
本発明は、かかる点に鑑みてなされたものであり、その目的とするところは、フィルタ再生制御の実行時におけるＯＴ判定の遅れを抑制できる内燃機関の制御装置を提供することにある。
【課題を解決するための手段】
【０００８】
前記の目的を達成するための本発明の解決手段は、排気系に微粒子捕集フィルタおよび触媒を備え、前記微粒子捕集フィルタの再生要求に伴って、該微粒子捕集フィルタに捕集されている微粒子を燃焼除去するために空燃比を変動させるフィルタ再生制御が実行可能な内燃機関に適用される制御装置を前提とする。そして、この内燃機関の制御装置は、前記触媒の温度過上昇の判定に用いるパラメータの判定閾値を、前記フィルタ再生制御の開始に伴い、早期に温度過上昇の判定が行われる側の値に切り替え、該フィルタ再生制御の実行中に前記パラメータが前記切り替え後の前記判定閾値に達した場合に前記フィルタ再生制御を停止させるフィルタ再生制御停止部を備えていることを特徴とする。
【０００９】
この特定事項により、微粒子捕集フィルタの再生要求に伴ってフィルタ再生制御が開始された際、触媒の温度過上昇の判定に用いるパラメータの判定閾値は、それまでの判定閾値に比べて、早期に温度過上昇の判定が行われる側の値に切り替えられる。そして、このフィルタ再生制御の実行中に前記パラメータが前記切り替え後の判定閾値に達した場合にはフィルタ再生制御が停止される。このため、通常運転時（フィルタ再生制御の非実行時）に比べて早期に触媒温度が上昇してしまう可能性のあるフィルタ再生制御の実行時において、触媒温度の過上昇を招く前にフィルタ再生制御は停止され、触媒への悪影響を抑制することができる。
【発明の効果】
【００１０】
本発明では、触媒の温度過上昇の判定に用いるパラメータの判定閾値を、フィルタ再生制御の開始に伴い、早期に温度過上昇の判定が行われる側の値に切り替え、該フィルタ再生制御の実行中に前記パラメータが前記切り替え後の前記判定閾値に達した場合にフィルタ再生制御を停止させるようにしている。このため、触媒温度の過上昇を招く前にフィルタ再生制御を停止させることができ、触媒への悪影響を抑制することができる。
【図面の簡単な説明】
【００１１】
【図１】実施形態に係るエンジンの概略構成を示すシステム構成図である。
【図２】エンジンの１気筒のみを示す概略構成図である。
【図３】ＥＣＵ等の制御系の構成を示すブロック図である。
【図４】フィルタ再生制御の手順を示すフローチャート図である。
【発明を実施するための形態】
【００１２】
以下、本発明の実施の形態を図面に基づいて説明する。本実施形態では、自動車用４気筒ガソリンエンジン（内燃機関）に本発明を適用した場合について説明する。
【００１３】
−エンジン−
図１および図２は本実施形態に係るエンジン１の概略構成を示す図である。なお、図２ではエンジン１の１気筒の構成のみを示している。
【００１４】
これらの図に示すように、エンジン１は、火花点火式４気筒レシプロエンジンであり、各気筒１１（♯１〜♯４）毎にポート噴射式のインジェクタ１０ａを備え、このインジェクタ１０ａから噴射された燃料により混合気を生成するようになっている。
【００１５】
また、エンジン１の各気筒１１内にはピストン１３が設けられており、前記混合気の燃焼に伴ってこのピストン１３が気筒１１内で往復運動する。
【００１６】
前記各インジェクタ１０ａ，１０ａ，…は、それぞれデリバリパイプ１０ｂに接続されており、このデリバリパイプ１０ｂから燃料が供給されるようになっている。
【００１７】
また、インジェクタ１０ａによって燃焼室１２内に向けて噴射された燃料は、吸気通路１４の一部を構成するインテークマニホールド１４ａを通り、吸気バルブ１６の開弁動作（吸気カムシャフト１６ａの回転による吸気バルブ１６の開弁動作）に伴って燃焼室１２内へ導入される空気Ａと共に混合気を形成し、点火プラグ１５で着火されて燃焼する。混合気の燃焼圧力はピストン１３に伝えられ、ピストン１３を往復運動させる。
【００１８】
ピストン１３の往復運動はコネクティングロッド１３ａを介してクランクシャフト１８に伝えられ、ここで回転運動に変換されて、エンジン１の出力として取り出される。
【００１９】
また、燃焼後の混合気は排気ガスＥｘとなり、排気バルブ１７の開弁動作（排気カムシャフト１７ａの回転による排気バルブ１７の開弁動作）に伴って排気通路１９の一部であるエキゾーストマニホールド１９ａへ排出される。エキゾーストマニホールド１９ａへ排出された排気ガスは、排気通路１９に排出され、後述する三元触媒１９ｂ，１９ｃおよび微粒子捕集フィルタ（ＧＰＦ）１９ｄにおいて浄化された後、外部に放出される。
【００２０】
また、エンジン１は、吸気通路１４におけるエアクリーナ１４ｂの下流側に設けられたスロットルボディ８により吸入空気量が調整される。このスロットルボディ８は、スロットルバルブ８１と、このスロットルバルブ８１を開閉駆動するスロットルモータ８２と、スロットルバルブ８１の開度を検出するスロットル開度センサ１０３とを備えている。
【００２１】
ＥＣＵ１００は、ドライバ（運転者）により操作されるアクセルの開度を検出するアクセル開度センサ１０１からの出力を取得して、スロットルモータ８２に制御信号を送り、スロットル開度センサ１０３からのスロットルバルブ８１の開度のフィードバック信号に基づいて、スロットルバルブ８１を適切な開度に制御する。これにより、エンジン１の気筒１１内へ導入する空気Ａの量を制御する。
【００２２】
エンジン１の排気通路１９には２つの三元触媒１９ｂ，１９ｃおよび微粒子捕集フィルタ１９ｄが備えられている。三元触媒１９ｂ，１９ｃは、酸素を貯蔵（吸蔵）するＯ2ストレージ機能（酸素貯蔵機能）を有しており、この酸素貯蔵機能により、空燃比が理論空燃比からある程度まで偏移したとしても、ＨＣ，ＣＯおよびＮＯｘを浄化することが可能となっている。即ち、エンジン１の空燃比がリーンとなって、三元触媒１９ｂ，１９ｃに流入する排気ガス中の酸素およびＮＯｘが増加すると、酸素の一部を三元触媒１９ｂ，１９ｃが吸蔵することでＮＯｘの還元・浄化を促進する。一方、エンジン１の空燃比がリッチになって、三元触媒１９ｂ，１９ｃに流入する排気ガスにＨＣ，ＣＯが多量に含まれると、三元触媒１９ｂ，１９ｃは内部に吸蔵している酸素分子を放出し、これらのＨＣ，ＣＯに酸素分子を与え、酸化・浄化を促進する。
【００２３】
これら三元触媒１９ｂ，１９ｃのうち上流側に位置している三元触媒はスタート触媒１９ｂである。このスタート触媒１９ｂは、排気通路１９の上流部分（燃焼室１２に近い部分）に設けられているため、エンジン１の始動後、短時間のうちに活性温度まで上昇するといった特徴がある。また、下流側に位置している三元触媒はアンダーフロア触媒１９ｃである。このアンダーフロア触媒１９ｃは、前記スタート触媒１９ｂで浄化することのできなかったＨＣ，ＣＯおよびＮＯｘを浄化するためのものであり、車体を構成するフロアパネルの下側に配設されている。
【００２４】
微粒子捕集フィルタ１９ｄは、例えば多孔質セラミックス構造体で成り、多数のセルのうち隣り合うものの前端部と後端部とを交互に目封じした構造である。排気ガスは、微粒子捕集フィルタ１９ｄの排気上流側の端部が開放したセルに流入し、隣のセルとの間の多孔質の壁を通過するようになっており、このときに排気ガス中のＰＭが捕集される。また、本実施形態の微粒子捕集フィルタ１９ｄには白金等の貴金属が担持されており、後述するフィルタ再生制御の際には、この貴金属が、堆積したＰＭの酸化反応を促進する酸化触媒として機能する。なお、この微粒子捕集フィルタ１９ｄの構成としてはこれに限定されるものではない。
【００２５】
前記排気通路１９におけるスタート触媒１９ｂの上流側には、Ａ／Ｆセンサ（空燃比センサ）１１０が配置されている。このＡ／Ｆセンサ１１０は、例えば限界電流式の酸素濃度センサが適用されており、広い空燃比領域に亘って空燃比に対応した出力電圧を発生する構成となっている。
【００２６】
また、排気通路１９における微粒子捕集フィルタ１９ｄの下流側であって且つアンダーフロア触媒１９ｃの上流側には、Ｏ2センサ（酸素センサ）１１１が配置されている。このＯ2センサ１１１は、例えば起電力式（濃淡電池式）の酸素濃度センサが適用されており、その出力値が理論空燃比付近でステップ状に変化する構成となっている。なお、このアンダーフロア触媒１９ｃの上流側に配設されるセンサとしてはＡ／Ｆセンサであってもよい。
【００２７】
また、本実施形態に係るエンジン１の排気系には、一つの気筒（第１番気筒♯１）からの排気ガスの一部を、スタート触媒１９ｂおよび微粒子捕集フィルタ１９ｄをバイパスしてアンダーフロア触媒１９ｃの上流側に導くためのバイパス通路２０が設けられている。つまり、このバイパス通路２０は、一端（上流端）がエキゾーストマニホールド１９ａにおける第１番気筒♯１の排気ポート近傍に接続されており、他端（下流端）が、排気通路１９における微粒子捕集フィルタ１９ｄとアンダーフロア触媒１９ｃとの間に接続されている。また、バイパス通路２０には開閉弁２１が設けられている。この開閉弁２１は例えば電磁式のバルブであって、ＥＣＵ１００からの指令信号に従って開閉動作を行う。
【００２８】
つまり、この開閉弁２１が閉鎖された状態では、各気筒♯１〜♯４から排出される排気ガスは、スタート触媒１９ｂに向かって流れ、該スタート触媒１９ｂ、微粒子捕集フィルタ１９ｄ、アンダーフロア触媒１９ｃの順に流れることで浄化される。一方、開閉弁２１が開放された状態では、第１番気筒♯１から排出される排気ガスの一部は、スタート触媒１９ｂおよび微粒子捕集フィルタ１９ｄをバイパスしてアンダーフロア触媒１９ｃに向かって流れる。また、その他の排気ガス（第１番気筒♯１から排出される他の排気ガスおよび第２〜４番気筒♯２〜♯４から排出される排気ガス）は、スタート触媒１９ｂ、微粒子捕集フィルタ１９ｄ、アンダーフロア触媒１９ｃの順に流れることになる。
【００２９】
−ＥＣＵ−
ＥＣＵ１００は、エンジン１の運転制御を含む各種制御を実行する電子制御装置であって、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびバックアップＲＡＭなどを備えている。
【００３０】
ＥＣＵ１００には、図３に示すように、前記アクセル開度センサ１０１、クランクポジションセンサ１０２、スロットル開度センサ１０３、水温センサ１０４、エアフローメータ１０５、吸気温センサ１０６、Ａ／Ｆセンサ１１０、Ｏ2センサ１１１、差圧センサ１１２等が接続されており、これらの各センサからの信号がＥＣＵ１００に入力されるようになっている。前記差圧センサ１１２は、微粒子捕集フィルタ１９ｄの上流側（スタート触媒１９ｂ側）と下流側（アンダーフロア触媒１９ｃ側）との圧力差を検出するものであって、その差圧信号に基づいて微粒子捕集フィルタ１９ｄでのＰＭ堆積量を求めることが可能である。具体的には、前記圧力差が高くなるほどＰＭ捕集量が多いと判断される。その他のセンサの機能は周知であるため、ここでの説明は省略する。
【００３１】
また、ＥＣＵ１００には、インジェクタ１０ａ、点火プラグ１５の点火タイミングを調整するイグナイタ１５ａ、スロットルモータ８２、前記開閉弁２１などが接続されている。
【００３２】
そして、ＥＣＵ１００は、前記した各種センサの出力信号に基づいて、エンジン１のスロットル開度制御（吸入空気量制御）、燃料噴射量制御、および、点火時期制御などのエンジン１の各種制御を実行する。また、ＥＣＵ１００は、Ａ／Ｆセンサ１１０およびＯ2センサ１１１の出力に基づいて空燃比フィードバック制御（ストイキ制御）を実行する。この空燃比フィードバック制御にあっては、Ａ／Ｆセンサ１１０によって検出された排気空燃比を所定の目標空燃比であるストイキに一致させるメインフィードバック制御と、Ｏ2センサ１１１によって検出された排気空燃比をストイキに一致させるようなサブフィードバック制御とが行われる。また、ＥＣＵ１００は、後述するフィルタ再生制御を実行する。
【００３３】
−フィルタ再生制御−
フィルタ再生制御は、微粒子捕集フィルタ１９ｄの再生要求に伴って、該微粒子捕集フィルタ１９ｄに捕集されているＰＭを燃焼除去させるために空燃比を変動させる制御（ディザ制御）である。具体的には、通常運転時（フィルタ再生制御の非実行時）では、前記開閉弁２１を閉鎖しておく一方、微粒子捕集フィルタ１９ｄの再生要求が生じた場合には、開閉弁２１を開放する。また、第１番気筒♯１の空燃比を理論空燃比よりもリッチにし（第１番気筒♯１のインジェクタ１０ａからの燃料噴射量を所定量だけ増量補正し）、第２〜４番気筒♯２〜♯４の空燃比を理論空燃比よりもリーンにする（第２〜４番気筒♯２〜♯４のインジェクタ１０ａからの燃料噴射量を所定量だけ減量補正する）。この微粒子捕集フィルタ１９ｄの再生要求は、例えば、前記差圧センサ１１２からの差圧信号に基づいて微粒子捕集フィルタ１９ｄでのＰＭ堆積量を推定しておき、このＰＭ堆積量が所定量以上となった（微粒子捕集フィルタ１９ｄの前後差圧が所定値以上となった）場合に生じる。または、前記差圧センサ１１２を使用することなく、エンジン１の運転状態の履歴から微粒子捕集フィルタ１９ｄにおけるＰＭ堆積量を推定し、このＰＭ堆積量が所定量以上となった場合に再生要求が生じるようにしてもよい。
【００３４】
フィルタ再生制御では、前述したように開閉弁２１を開放すると共に、第１番気筒♯１の空燃比を理論空燃比よりもリッチにし、この第１番気筒♯１からの排気ガスを、バイパス通路２０によりスタート触媒１９ｂおよび微粒子捕集フィルタ１９ｄをバイパスさせてアンダーフロア触媒１９ｃに導入する。一方、第２〜４番気筒♯２〜♯４の空燃比を理論空燃比よりもリーンにし、この第２〜４番気筒♯２〜♯４からの排気ガスを、スタート触媒１９ｂを経て微粒子捕集フィルタ１９ｄに向けて導入する。これにより、微粒子捕集フィルタ１９ｄに捕集されているＰＭを燃焼除去して微粒子捕集フィルタ１９ｄを再生させると共に、アンダーフロア触媒１９ｃに吸蔵されているまたは触媒に向けて流れ込む窒素酸化物（ＮＯｘ）を前記第１番気筒♯１から排出される還元成分（ＨＣ等）によって還元除去する。
【００３５】
従来技術にあっては、失火発生時において、通常運転時（フィルタ再生制御の非実行時）に比べて、フィルタ再生制御の実行時の方が早期に触媒温度が上昇してしまう。このため、触媒温度の過上昇の判定（ＯＴ判定）に用いている判定値（ＯＴ判定値）として、通常運転時の値をフィルタ再生制御の実行時においてもそのまま使用してしまうとＯＴ判定に遅れが生じ、触媒に悪影響を与えてしまうことになる。
【００３６】
本実施形態は、この点に鑑み、フィルタ再生制御の実行時におけるＯＴ判定の遅れを抑制できるようにしたものである。
【００３７】
具体的には、三元触媒１９ｂ，１９ｃの温度過上昇の判定に用いるパラメータの判定閾値を、フィルタ再生制御の開始に伴い、早期に温度過上昇の判定が行われる側の値に切り替え、該フィルタ再生制御の実行中に前記パラメータが前記切り替え後の前記判定閾値に達した場合に前記フィルタ再生制御を停止させるようにしている。本実施形態では、前記パラメータとして、前記クランクポジションセンサ１０２からの出力信号に基づいて算出されるエンジン回転変動を採用している。つまり、通常運転時（フィルタ再生制御の非実行時）に比べて早期に触媒温度が上昇してしまう可能性のあるフィルタ再生制御の実行時にあっては、触媒温度の過上昇の判定閾値であるエンジン回転変動の閾値を小さく設定し（早期に温度過上昇の判定が行われる側の値に切り替え）、実際のエンジン回転変動が、この閾値（判定閾値）よりも大きくなった場合には、失火等に起因して三元触媒１９ｂ，１９ｃの温度過上昇が生じやすい状況になっていると判断し、前記フィルタ再生制御を停止させるようにしている。
【００３８】
このフィルタ再生制御を停止させる動作は前記ＥＣＵ１００によって実行される。このため、ＥＣＵ１００において、前記フィルタ再生制御を停止させる動作を実行する機能部分が本発明でいうフィルタ再生制御停止部（触媒の温度過上昇の判定に用いるパラメータの判定閾値を、フィルタ再生制御の開始に伴い、早期に温度過上昇の判定が行われる側の値に切り替え、該フィルタ再生制御の実行中に前記パラメータが前記切り替え後の前記判定閾値に達した場合にフィルタ再生制御を停止させるフィルタ再生制御停止部）として構成されている。
【００３９】
次に、本実施形態におけるフィルタ再生制御の手順について図４のフローチャートに沿って説明する。このフローチャートは、車両のスタートスイッチがオン操作された後、所定時間毎に繰り返して実行される。
【００４０】
先ず、ステップＳＴ１において、失火異常検出モニタ前提条件が成立しているか否かを判定する。この失火異常検出モニタ前提条件は、失火の有無を検出する動作が実行可能なエンジン１の運転状態となっている場合に成立するものであって、例えばエンジン水温が所定値以上で且つインジェクタ１０ａからの燃料噴射が行われている（フューエルカットされていない）場合に成立する。この失火異常検出モニタ前提条件としてはこれらに限らず他の条件であってもよい。
【００４１】
失火異常検出モニタ前提条件が成立しておらず、ステップＳＴ１でＮＯ判定された場合には、そのままリターンされる。
【００４２】
一方、失火異常検出モニタ前提条件が成立しており、ステップＳＴ１でＹＥＳ判定された場合には、ステップＳＴ２に移り、失火ＯＢＤ検出モニタを開始する。つまり、エンジン１に失火が発生しているか否かの判定を行う。この判定（失火判定）は、例えば、各気筒♯１〜♯４の点火タイミングの後、所定クランク角度だけ回転するのに要した時間（前記クランクポジションセンサ１０２からの出力信号（パルス信号）に基づいて算出される所定クランク角度だけ回転するのに要した時間）が所定の閾値以上であった場合に、その点火タイミングにおいて失火が発生していたと判定するものである。
【００４３】
前記失火ＯＢＤ検出モニタを開始した後、フィルタ再生制御実行フラグが「１」にセットされているか否かを判定する。このフィルタ再生制御実行フラグは、微粒子捕集フィルタ１９ｄの再生要求が生じた場合（例えば前述したように微粒子捕集フィルタ１９ｄの前後差圧が所定値以上となった場合）に「１」にセットされるものである。
【００４４】
フィルタ再生制御実行フラグが「１」にセットされておらず、ステップＳＴ３でＮＯ判定された場合には、そのままリターンされる。
【００４５】
一方、フィルタ再生制御実行フラグが「１」にセットされており、ステップＳＴ３でＹＥＳ判定された場合には、ステップＳＴ４に移り、フィルタ再生制御を開始すると共に、触媒ＯＴ判定値（触媒温度の過上昇の判定（ＯＴ判定）に用いている判定値；本発明でいうパラメータの判定閾値）を切り替える。
【００４６】
フィルタ再生制御は、前述したように、開閉弁２１を開放し、第１番気筒♯１の空燃比を理論空燃比よりもリッチにして、この第１番気筒♯１からの排気ガスを、バイパス通路２０によりスタート触媒１９ｂおよび微粒子捕集フィルタ１９ｄをバイパスさせてアンダーフロア触媒１９ｃに導入すると共に、第２〜４番気筒♯２〜♯４の空燃比を理論空燃比よりもリーンにして、この第２〜４番気筒♯２〜♯４からの排気ガスを、スタート触媒１９ｂを経て微粒子捕集フィルタ１９ｄに向けて導入する。
【００４７】
また、触媒ＯＴ判定値としては、それまでの判定閾値に比べて、早期に温度過上昇の判定が行われる側の値に切り替える。つまり、本実施形態では、触媒の温度過上昇の判定に用いるパラメータとして、クランクポジションセンサ１０２からの出力信号に基づいて算出されるエンジン回転変動を採用しているため、このＯＴ判定のためのエンジン回転変動の閾値を小さく設定する。
【００４８】
その後、ステップＳＴ５に移り、触媒ＯＴ判定がなされたか否かを判定する。つまり、エンジン回転変動が前記切り替え後のエンジン回転変動の閾値よりも大きくなったか否かを判定する。
【００４９】
触媒ＯＴ判定がなされておらず、ステップＳＴ５でＮＯ判定された場合には、そのままリターンされる。
【００５０】
一方、触媒ＯＴ判定がなされ、ステップＳＴ５でＹＥＳ判定された場合には、前記フィルタ再生制御を停止する。つまり、三元触媒１９ｃの温度が過上昇する可能性があると判断し、開閉弁２１を閉鎖すると共に、各気筒♯１〜♯４の空燃比を、エンジン１に対する要求出力に応じた値に戻す。
【００５１】
その後、ステップＳＴ７に移り、前記フィルタ再生制御実行フラグを「０」にリセットしてリターンされる。
【００５２】
また、前述の如くフィルタ再生制御の開始に伴って触媒ＯＴ判定値が切り替えられた状態において、触媒ＯＴ判定がなされることなくフィルタ再生制御が終了した場合（例えば微粒子捕集フィルタ１９ｄの前後差圧が所定値未満となった場合；ステップＳＴ５でＹＥＳ判定されることなくフィルタ再生制御が終了した場合）には、触媒ＯＴ判定値は元の値に戻されることになる。また、前記フィルタ再生制御実行フラグは「０」にリセットされる。
【００５３】
以上の動作が繰り返される。このため、前記ステップＳＴ４、ＳＴ５、ＳＴ６の動作が、本発明でいうフィルタ再生制御停止部（触媒の温度過上昇の判定に用いるパラメータの判定閾値を、フィルタ再生制御の開始に伴い、早期に温度過上昇の判定が行われる側の値に切り替え、該フィルタ再生制御の実行中にパラメータが前記切り替え後の判定閾値に達した場合にフィルタ再生制御を停止させるフィルタ再生制御停止部）の動作に相当する。
【００５４】
以上説明したように、本実施形態では、三元触媒１９ｃの温度過上昇の判定に用いるパラメータの判定閾値を、フィルタ再生制御の開始に伴い、早期に温度過上昇の判定が行われる側の値に切り替え、該フィルタ再生制御の実行中に前記パラメータが前記切り替え後の前記判定閾値に達した場合にフィルタ再生制御を停止させるようにしている。このため、通常運転時（フィルタ再生制御の非実行時）に比べて早期に触媒温度が上昇してしまう可能性のあるフィルタ再生制御の実行時において、触媒温度の過上昇を招く前にフィルタ再生制御は停止されることになり、三元触媒１９ｃへの悪影響を抑制することができる。
【００５５】
−他の実施形態−
なお、今回開示した実施形態は、全ての点で例示であって、限定的な解釈の根拠となるものではない。従って、本発明の技術的範囲は、前記実施形態のみによって解釈されるものではなく、特許請求の範囲の記載に基づいて画定される。また、本発明の技術的範囲には、特許請求の範囲と均等の意味および範囲内での全ての変更が含まれる。
【００５６】
例えば、前記実施形態では、自動車用４気筒ガソリンエンジン１に本発明を適用した場合について説明した。本発明はこれに限らず、自動車以外に使用されるエンジンに対しても適用が可能である。また、気筒数も特に限定されるものではない。
【００５７】
また、前記実施形態では、三元触媒１９ｂ，１９ｃの温度過上昇の判定に用いるパラメータとしてエンジン回転変動を採用していた。本発明はこれに限らず、三元触媒１９ｂ，１９ｃの温度を直接的に検出可能な温度センサを備えさせ、この温度センサによって検出される触媒温度を温度過上昇の判定に用いるパラメータとしてもよい。
【産業上の利用可能性】
【００５８】
本発明は、微粒子捕集フィルタの再生要求に伴って空燃比を変動させるフィルタ再生制御に適用可能である。
【符号の説明】
【００５９】
１      エンジン（内燃機関）
１０ａ  インジェクタ
１９    排気通路
１９ｂ，１９ｃ  三元触媒
１９ｄ  微粒子捕集フィルタ
１００  ＥＣＵ
１１２  差圧センサ
【図１】
2018162721.tif 000003
【図２】
2018162721.tif 000004
【図３】
2018162721.tif 000005
【図４】
2018162721.tif 000006